(57)【要約】【課題】足し棒の連結による作業の範囲を広げ、作業性の向上を図る。【解決手段】絶縁操作棒１１０に対する操作部１３０の取り付け位置を変更する機構を持つ。操作部１３０の支持具１３３には先端が絶縁操作棒１１０の側面に当接するように常に付勢されているロックピン１７１が設けられ、絶縁操作棒１１０の側面長手方向には所定の間隔でロックピンの挿入穴１６１が形成されている。ロックピン１７１によるロック状態を解除することで、操作部１３０をスライドさせて位置調整できる。把持具と操作部１３０とを連結する連結棒１１３は、操作部１３０の取り付け位置に応じて伸縮する伸縮機能を持つ。接続部材１１５の先端部に棒状の延長軸１８１が接続されており、この延長軸１８１は連結棒１１３に出し入れ自在に挿入されている。また、連結棒１１３にロックピン１８２が取り付けられている。【選択図】図４
2009050052.tif 000002
【特許請求の範囲】
【請求項１】
絶縁操作棒の先端に間接活線作業具を設け、上記絶縁操作棒の後端側に該間接活線作業具を操作する操作部を設けた間接活線工具であって、
上記操作部を上記絶縁操作棒の長手方向にスライドさせて該操作部の上記絶縁操作棒に対する取り付け位置を変更する取り付け位置変更機構を備える
ことを特徴とする間接活線工具。
【請求項２】
上記操作部は上記絶縁操作棒が貫通した状態で該絶縁操作棒の長手方向にスライド可能とされ、
上記取り付け位置変更機構は、
上記操作部に設けられ、先端が上記絶縁操作棒の側面に当接するように常に付勢されているロックピンと、
上記絶縁操作棒の側面長手方向に所定の間隔で設けられている上記ロックピンの挿入穴とを有してなる
ことを特徴とする請求項１に記載の間接活線工具。
【請求項３】
上記取り付け位置変更機構は、
上記絶縁操作棒の側面長手方向に上記所定間隔で設けられているロックピンの挿入穴をつなげるように形成されている案内溝をさらに有してなる
ことを特徴とする請求項２に記載の間接活線工具。
【請求項４】
上記取り付け位置変更機構は、
上記絶縁操作棒の側面に形成された、長手方向に延びる案内凸条と、
上記操作部の上記絶縁操作棒との接触面に形成され、上記案内凸条に嵌合する嵌合凹部とを有してなる
ことを特徴とする請求項１に記載の間接活線工具。
【請求項５】
上記間接活線作業具の可動部と上記操作部の可動部との間に連結棒が介在されており、
上記連結棒は、上記操作部の上記絶縁操作棒に対する取り付け位置に応じて伸縮する伸縮機構を備えている
ことを特徴とする請求項１に記載の間接活線工具。
【発明の詳細な説明】
【技術分野】
【０００１】
この発明は、高圧の架空配電線等の間接活線作業において使用される間接活線工具に関する。
【背景技術】
【０００２】
従来から高圧の架空配電線等の間接活線作業を安全かつ効率よく行うため、絶縁操作棒の先端に把持具等の間接活線作業具を装備し、この間接活線作業具を絶縁操作棒の後端側に装備した操作部を介して遠隔操作を行うようにした間接活線工具が使用されている（例えば、特許文献１参照）。
【０００３】
図７は、従来の間接活線工具の一例としての絶縁ヤットコ２００の構成例を示している。この絶縁ヤットコ２００は、絶縁操作棒２１０と、把持具２２０と、操作部２３０とを備えている。把持具２２０は、被把持物（対象物）を把持するためのものであり、絶縁操作棒２１０の先端に設けられている。操作部２３０は、把持具２２０を操作するためのものであり、絶縁操作棒２１０の後端側に取り付けられている。
【０００４】
絶縁操作棒２１０は、円筒状（パイプ状）の絶縁性部材により形成されている。絶縁性部材としては、エポキシ樹脂系強化プラスチック、ポリエステル樹脂系強化プラスチック等の、変形し難く、かつ絶縁性が低下しない絶縁性部材が用いられる。この絶縁操作棒２１０の中間部には、感電事故を防ぐために、把持してよい部分とそれ以外の部分との境界を明確にするための安全限界つば２１１が嵌合固定されている。把持具２２０が取り付けられた先端から、当該安全限界つば２１１までの長さは、６００mm（安全限界距離）以上とされている。また、降雨時対策として、絶縁操作棒２１０の、先端と安全限界つば２１１の固定位置との中間には、水切りつば２１２が嵌合固定されている。安全限界つば２１１および水切りつば２１２は、軟質性の合成ゴムにより形成されている。
【０００５】
また、この絶縁操作棒２１０の後端には、足し棒を連結するためのアルミニウム合金で形成された筒状の連結金具２１９が固定されている。この連結金具２１９には、正面側と裏面側とに一対のＬ字状のガイド溝２４１ａ，２４１ｂが形成されている。このガイド溝２４１ａ，２４１ｂの端部には係止凹部２４２ａ，２４２ｂが形成されている。
【０００６】
把持具２２０は、間接活線作業において、被把持物（対象物）を把持するための部分であり、例えば、アルミニウム合金で形成されている。把持具２２０は、固定把持片２２１と、この固定把持片２２１に対して先端部が接離可能に設けられた回動把持片２２２とから構成されている。固定把持片２２１は、絶縁操作棒２１０の先端に固定具２２３によって配置固定されている。また、回動把持片２２２は、その後端側部分が枢着ピン２２４を介して固定具２２３に回動（揺動）可能に固定されている。また、回動把持片２２２の後端部は、絶縁操作棒２１０とほぼ平行に設けられている連結棒２１３（リンク機構）の先端部に連結されている。この連結部は、図示しない連結ピンによって回動可能に連結されている。
【０００７】
連結棒２１３は、絶縁操作棒２１０と同様に、円筒状（パイプ状）の絶縁性部材により形成されている。この連結棒２１３の中間部には、水切りつば２１４が嵌合固定されている。この連結棒２１３の後端部は接続部材２１５を通じて操作部２３０に接続されている。この場合、接続部材２１５の、連結棒２１３に接続される側とは反対側の端部は、連結ピン２１８を介して、操作レバー２３１の突出部２３２に回動可能に連結されている。
【０００８】
操作部２３０は、操作レバー２３１を備えている。この操作レバー２３１は、アルミニウム合金により形成されている。この操作レバー２３１には上述した突出部２３２が一体的に形成されている。この操作レバー２３１の一端は、絶縁操作棒２１０の後端側に設けられた支持具２３３に、支持ピン２３４を介して回動（揺動）可能に固定されている。支持具２３３は、アルミニウム合金により形成されており、絶縁操作棒２１０が貫通した状態で、当該絶縁操作棒２１０にねじ止めされている。
【０００９】
図７に示す絶縁ヤットコ２００においては、作業者が操作レバー２３１を握り込むことで、当該操作レバー２３１が矢印Ａ方向に回動し、連結棒２１３が矢印Ｂ方向に移動し、その結果、把持具２２０を構成する回動把持片２２２が矢印Ｃ方向に回動し、固定把持片２２１の先端と回動把持片２２２の先端とが接近して把持具２２０は閉じた状態となり、被把持部物（対象物）を把持できる。一方、操作レバー２３１を矢印Ａとは反対の方向に回動させると、連結棒２１３は矢印Ｂとは反対の方向に移動し、回動把持片２２２が矢印Ｃ方向とは反対の方向に回動し、把持具２２０は開いた状態となり、被把持物（対象物）を解放できる。
【００１０】
図７に示す絶縁ヤットコ２００においては、上述したように、絶縁操作棒２１０の後端に連結金具２１９が取り付けられており、作業位置および活線近接限界距離等の制限で、必要により、足し棒３００を接続して、作業を行うことが可能となっている。
【００１１】
図８は、足し棒３００の構成例を示している。この足し棒３００は、パイプ状の絶縁性部材で形成された絶縁棒３０１により構成されている。この絶縁棒３０１の先端には、上述した連結金具２１９と連結される連結金具３０２が取り付けられている。なお、この連結金具３０２の前部には、半径方向に突出する一対の係止ピン３０３ａ，３０３ｂが設けられていると共に、その後部にロックナット３０４が螺装されている。また、この絶縁棒３０１の後端には、例えばＥＰゴムで形成されているキャップ３０５が装着されている。
【００１２】
図９は、絶縁ヤットコ２００の後端に、足し棒３００を接続する際の手順を示している。まず、図９（ａ）に示すように、絶縁ヤットコ２００の後端に取り付けられている連結金具２１９に、足し棒３００の先端に取り付けられた連結金具３０２の前部が挿入されていく。この場合、連結金具３０２の前部に設けられた係止ピン３０３ａ，３０３ｂが、連結金具２１９の案内溝２４１ａ，２４１ｂに案内されていく。
【００１３】
次に、図９（ｂ）に示すように、足し棒３００が回されて、係止ピン３０３ａ，３０３ｂが、係止凹部２４２ａ，２４２ｂにツイストロックされ、絶縁ヤットコ２００の連結金具２１９に足し棒３００の連結金具３０２が連結される。この場合、図示しないが、連結金具２１９には弾発部材が内蔵されており、連結金具２１９に足し棒３００の連結金具３０２が挿入されるとき、当該連結金具３０２は押し込み方向とは反対の方向に付勢された状態となる。そのため、係止ピン３０３ａ，３０３ｂは、係止凹部２４２ａ，２４２ｂに、抜け止め状態に係止される。
【００１４】
次に、図９（ｃ）に示すように、連結金具３０２の後部に螺装されているロックナット３０４が締結され、絶縁ヤットコ２００の後端に足し棒３００の前端が強固に固定保持される。
【００１５】
図１０は、絶縁ヤットコ２００の後端に足し棒３００を連結させた状態を示しており、足し棒３００の分だけ全体の長さが長くなることがわかる。
【特許文献１】特開２００７−４９８５２号公報
【発明の開示】
【発明が解決しようとする課題】
【００１６】
上述したように絶縁ヤットコ２００に足し棒３００を連結することで、全体の長さを長くできる。しかし、把持具２２０を操作する操作部２３０は、依然として、安全限界つば２１１の近傍に存在する。図１１（ａ）は足し棒３００を連結していない場合を示し、図１１（ｂ）は足し棒３００を連結した場合を示し、絶縁操作棒２１０における操作部２３０の取り付け位置に変化がないことを示している。
【００１７】
そのため、例えば、体に近い位置から段々と遠い位置に高圧線があり、体から一番遠い位置の高圧線での作業をするときに、絶縁操作棒２１０を持つ方の手を活線近接限界距離（横、下は８０cm、頭上は４０cm）の外に位置させることができても、操作レバー２３１を操作する方の手が活線近接限界距離内に入ってしまうということが起こる。その際には、高所作業車の設置位置を変える等して作業位置を変更し、あるいは、直接活線作業または高圧停電作業に変更しなければならない場合も生じる。
【００１８】
この発明の目的は、足し棒の連結による作業の範囲を広げ、作業性の向上を図ることにある。
【課題を解決するための手段】
【００１９】
この発明の概念は、
絶縁操作棒の先端に間接活線作業具を設け、上記絶縁操作棒の後端側に該間接活線作業具を操作する操作部を設けた間接活線工具であって、
上記操作部を上記絶縁操作棒の長手方向にスライドさせて該操作部の上記絶縁操作棒に対する取り付け位置を変更する取り付け位置変更機構を備える
ことを特徴とする間接活線工具にある。
【００２０】
この発明においては、取り付け位置変更機構により、絶縁操作棒に対する操作部の取り付け位置を変更できる。例えば、間接活線作業具の可動部と操作部の可動部との間に連結棒が介在されている場合には、この連結棒は、絶縁操作棒に対する操作部の取り付け位置に応じて伸縮される。
【００２１】
このように、この発明においては、絶縁操作棒に対する操作部の取り付け位置を変更できることから、間接活線工具の後端に足し棒を連結して使用する際には、絶縁操作棒に対する操作部の取り付け位置を後端側にずらすことができる。これにより、絶縁操作棒を持つ方の手が活線近接限界距離の外にあるのに、操作レバーを操作する方の手が活線近接限界距離内に入ってしまうということを回避でき、足し棒の連結による作業の範囲が広がり、作業性の向上を図ることができる。
【００２２】
この発明においては、例えば、操作部は絶縁操作棒が貫通した状態で該絶縁操作棒の長手方向にスライド可能とされ、取り付け位置変更機構は、操作部に設けられ、先端が絶縁操作棒の側面に当接するように常に付勢されているロックピンと、絶縁操作棒の側面長手方向に所定の間隔で設けられているロックピンの挿入穴とを有してなるものとされてもよい。この場合、ロックピンを外方に引っ張るだけで、当該ロックピンの挿入穴への挿入状態を解除でき、操作部を絶縁操作棒の長手方向にスライドさせることができ、位置変更の操作を簡単に行うことができる。
【００２３】
また、この発明においては、例えば、取り付け位置変更機構は、絶縁操作棒の側面長手方向に所定間隔で設けられているロックピンの挿入穴をつなげるように形成されている案内溝をさらに有してなるものとされてもよい。この場合、ロックピンは案内溝に沿ってスライドしていくので、操作部の位置を変更して固定（ロック）する際に、ロックピンを挿入穴に容易に挿入できる。
【００２４】
また、この発明においては、取り付け位置変更機構は、絶縁操作棒の側面に形成された、長手方向に延びる案内凸条と、操作部の絶縁操作棒との接触面に形成され、案内凸条に嵌合する嵌合凹部とを有してなるものとされてもよい。この場合、操作部をスライドしていったときに、当該操作部が絶縁操作棒の周方向に回転して位置ずれを起こすことを防止できる。
【発明の効果】
【００２５】
この発明によれば、足し棒の連結による作業の範囲が広がり、作業性の向上を図ることができる。
【発明を実施するための最良の形態】
【００２６】
以下、図面を参照しながら、この発明の実施の形態について説明する。図１は、実施の形態としての絶縁ヤットコ１００の構成例を示している。この絶縁ヤットコ１００は、絶縁操作棒１１０と、把持具１２０と、操作部１３０とを備えている。把持具１２０は、被把持物（対象物）を把持するためのものであり、絶縁操作棒１１０の先端に設けられている。操作部１３０は、把持具１２０を操作するためのものであり、絶縁操作棒１１０の後端側に設けられている。
【００２７】
絶縁操作棒１１０は、円筒状（パイプ状）の絶縁性部材により形成されている。絶縁性部材としては、エポキシ樹脂系強化プラスチック、ポリエステル樹脂系強化プラスチック等の、変形し難く、かつ絶縁性が低下しない絶縁性部材が用いられる。この絶縁操作棒１１０の中間部には、感電事故を防ぐために、把持してよい部分とそれ以外の部分との境界を明確にするための安全限界つば１１１が嵌合固定されている。把持具１２０が取り付けられた先端から、当該安全限界つば１１１までの長さは、６００mm（安全限界距離）以上とされている。また、降雨時対策として、絶縁操作棒１１０の、先端と安全限界つば１１１の固定位置との中間には、水切りつば１１２が嵌合固定されている。安全限界つば１１１および水切りつば１１２は、軟質性の合成ゴムにより形成されている。
【００２８】
また、この絶縁操作棒１１０の後端には、足し棒を連結するためのアルミニウム合金で形成された筒状の連結金具１１９が固定されている。この連結金具１１９には、正面側と裏面側とに一対のＬ字状のガイド溝１４１ａ，１４１ｂが形成されている。このガイド溝１４１ａ，１４１ｂの端部には係止凹部１４２ａ，１４２ｂが形成されている。
【００２９】
把持具１２０は、間接活線作業において、被把持物（対象物）を把持するための部分であり、例えば、アルミニウム合金で形成されている。把持具１２０は、固定把持片１２１と、この固定把持片１２１に対して先端部が接離可能に設けられた回動把持片１２２とから構成されている。固定把持片１２１は、絶縁操作棒１１０の先端に固定具１２３によって配置固定されている。また、回動把持片１２２は、その後端側部分が枢着ピン１２４を介して固定具１２３に回動（揺動）可能に固定されている。また、回動把持片１２２の後端部は、絶縁操作棒１１０とほぼ平行に設けられている連結棒１１３（リンク機構）の先端部に連結されている。この連結部は、図示しない連結ピンによって回動可能に連結されている。
【００３０】
連結棒１１３は、絶縁操作棒１１０と同様に、円筒状（パイプ状）の絶縁性部材により形成されている。この連結棒１１３の中間部には、水切りつば１１４が嵌合固定されている。この連結棒１１３の後端部は接続部材１１５を通じて操作部１３０に接続されている。この場合、接続部材１１５の、連結棒１１３に接続される側とは反対側の端部は、連結ピン１１８を介して、操作レバー１３１の突出部１３２に回動可能に連結されている。
【００３１】
操作部１３０は、操作レバー１３１を備えている。この操作レバー１３１は、アルミニウム合金により形成されている。この操作レバー１３１には上述した突出部１３２が一体的に形成されている。この操作レバー１３１の一端は、絶縁操作棒１１０の後端側に設けられた支持具１３３に、支持ピン１３４を介して回動（揺動）可能に固定されている。支持具１３３は、アルミニウム合金により形成されており、絶縁操作棒１１０が貫通した状態で、当該絶縁操作棒１１０に取り付けられている。
【００３２】
この実施の形態においては、操作部１３０を絶縁操作棒１１０の長手方向にスライドさせて、当該操作部１３０の絶縁操作棒１１０に対する取り付け位置を変更する取り付け位置変更機構が備えられている。
【００３３】
すなわち、上述したように、操作部１３０を構成する支持具１３３の内部を絶縁操作棒１１０が貫通した状態とされているが、当該支持具１３３は絶縁操作棒１１０の長手方向にスライド可能とされている。そして、支持具１３３は、所望の位置に移動した状態で、絶縁操作棒１１０に固定可能とされている。
【００３４】
そのため、絶縁操作棒１１０の側面長手方向に、所定の間隔で、後述する支持具１３３に設けられているロックピン１７１の挿入穴１６１が設けられている。また、この絶縁操作棒１１０の側面長手方向に、上述したロックピン１７１の挿入穴１６１をつなげるように、案内溝１６２が形成されている。また、絶縁操作棒１１０の側面に、長手方向に延びる案内凸条１６３が形成されている。
【００３５】
また、支持具１３３には、図２に示すように、ロックピン１７１が取り付けられていると共に、支持具１３３の絶縁操作棒１１０との接触面に、上述した案内凸条１６３に嵌合する嵌合凹部１７６が形成されている。なお、この図２においては、図面の簡略化を図るため、支持具１３３の形状が直方体であるとして示している。
【００３６】
ロックピン１７１は、先端が絶縁操作棒１１０の側面に当接するように常に付勢されている。すなわち、支持具１３３の側面に箱体１７２が固定されている。ロックピン１７１のピン部は、当該箱体１７２の上面に設けられた穴１７３および支持具１３３の側面に設けられた穴１３５を通じて、挿入された状態におかれる。このロックピン１７１のピン部の中間位置には係止片１７４が固定されており、当該係止片１７４と箱体１７２の上面との間に圧縮コイルバネ１７５が配されている。このような構成によって、ロックピン１７１には、圧縮コイルバネ１７５により、先端が絶縁操作棒１１０の側面に当接するように常に付勢力が与えられる。
【００３７】
図２（ａ）は、ロックピン１７１の先端側が、絶縁操作棒１１０の側面に形成された挿入穴１６１に挿入されている状態を示している。この状態では、支持具１３３、従って操作部１３０は、絶縁操作棒１１０の所定位置に、固定されている。これに対して、図２（ｂ）は、圧縮コイルバネ１７５のバネ力に抗してロックピン１７１の頭部が引っ張られ、ロックピン１７１の先端側が挿入穴１６１から抜け出た状態を示している。この状態では、支持具１３３、従って操作部１３０は、絶縁操作棒１１０の長手方向にスライド可能であり、当該操作部１３０の絶縁操作棒１１０に対する取り付け位置の調整が可能となる。
【００３８】
このように、この実施の形態においては、操作部１３０の絶縁操作棒１１０に対する取り付け位置を変更できるが、上述の連結棒１１３は、操作部１３０の絶縁操作棒１１０に対する取り付け位置に応じて伸縮する伸縮機構を備えている。
【００３９】
すなわち、接続部材１１５の先端部には連結棒１１３と同様の絶縁性部材で形成された棒状の延長軸１８１が接続されており、この延長軸１８１は連結棒１１３に出し入れ自在に挿入されている。また、連結棒１１３にロックピン１８２が取り付けられていると共に、上述した延長軸１８１の側面長手方向に、所定の間隔、つまり上述した絶縁操作棒１１０の側面長手方向に形成された挿入穴１６１の間隔とほぼ同じ間隔で、ロックピン１８２の挿入穴１８３が形成されている。また、この延長軸１８１の側面長手方向に、上述したロックピン１８２の挿入穴１８３をつなげるように、案内溝１８４が形成されている。
【００４０】
連結棒１１３へのロックピン１８２の取り付けは、図３に示すようになされている。すなわち、連結棒１１３の側面に箱体１８５が固定されている。ロックピン１８２のピン部は、当該箱体１８５の上面に設けられた穴１８６および連結棒１１３の側面に設けられた穴１８７を通じて、挿入された状態におかれる。このロックピン１８２のピン部の中間位置には係止片１８８が固定されており、当該係止片１８８と箱体１８５の上面との間に圧縮コイルバネ１８９が配されている。このような構成によって、ロックピン１８２には、圧縮コイルバネ１８９により、先端が延長軸１８１の側面に当接するように常に付勢力が与えられる。
【００４１】
図３（ａ）は、ロックピン１８２の先端側が、延長軸１８１の側面に形成された挿入穴１８３に挿入されている状態を示している。この状態では、延長軸１８１は、連結棒１１３の所定位置に固定されている。これに対して、図３（ｂ）は、圧縮コイルバネ１８９のバネ力に抗してロックピン１８２の頭部が引っ張られ、ロックピン１８２の先端側が挿入穴１８３から抜け出た状態を示している。この状態では、延長軸１８１は、連結棒１１３に出し入れが可能となり、操作部１３０の取り付け位置に応じた連結棒１１３の伸縮が可能となる。
【００４２】
図４（ａ），（ｂ）は、操作部１３０の絶縁操作棒１１０に対する取り付け位置の変更例を示している。図４(ａ)は、操作部１３０が最も先端側に取り付けられた状態を示している。この場合、延長軸１８１の全体が連結棒１１３に挿入された状態に置かれる。図４（ｂ）は、操作部１３０の取り付け位置が後端側の７個目の挿入穴１６１に対応した位置に移動された状態を示している。この場合、連結棒１１３から延長軸１８１が操作部１３０の移動量だけ引き出された状態に置かれる。
【００４３】
図１に示す絶縁ヤットコ１００においては、作業者が操作レバー１３１を握り込むことで、当該操作レバー１３１が矢印Ａ方向に回動し、連結棒１１３が矢印Ｂ方向に移動し、その結果、把持具１２０を構成する回動把持片１２２が矢印Ｃ方向に回動し、固定把持片１２１の先端と回動把持片１２２の先端とが接近して把持具１２０は閉じた状態となり、被把持部物（対象物）を把持できる。一方、操作レバー１３１を矢印Ａとは反対の方向に回動させると、連結棒１１３は矢印Ｂとは反対の方向に移動し、回動把持片１２２が矢印Ｃ方向とは反対の方向に回動し、把持具１２０は開いた状態となり、被把持物（対象物）を解放できる。
【００４４】
図１に示す絶縁ヤットコ１００においては、絶縁操作棒１１０の後端に連結金具１１９が取り付けられており、必要により、足し棒３００（図８参照）を接続して、作業を行うことができる。図１に示す絶縁ヤットコ１００においては、操作部１３０の絶縁操作棒１１０に対する取り付け位置を変更できることから、上述したように足し棒３００を連結して使用する場合には、操作部１３０の取り付け位置を後端側に移動して使用できる。図５(ａ)は足し棒３００が連結されていない状態を示している。図５（ｂ）は足し棒３００が連結されている状態を示しており、操作部１３０の取り付け位置は、図５（ａ）の状態と比べて、後端側に移動されている。なお、図５（ａ）、図５（ｂ）においては、挿入穴１６１，１８３の図示は省略している。
【００４５】
以上説明したように、図１に示す絶縁ヤットコ１００においては、絶縁操作棒１１０に対する操作部１３０の取り付け位置を変更できることから、後端に足し棒３００を連結して使用する際には、絶縁操作棒１１０に対する操作部１３０の取り付け位置を後端側にずらすことができる（図５（ｂ）参照）。これにより、絶縁操作棒１１０を持つ方の手が活線近接限界距離の外にあるのに、操作部１３０の操作レバー１３１を操作する方の手が活線近接限界距離内に入ってしまうということを回避でき、足し棒３００の連結による作業の範囲が広がり、作業性の向上を図ることができる。
【００４６】
また、図１に示す絶縁ヤットコ１００においては、操作部１３０は絶縁操作棒１１０が貫通した状態で当該絶縁操作棒１１０の長手方向にスライド可能とされ、操作部１３０の支持具１３３には先端が絶縁操作棒の側面に当接するように常に付勢されているロックピン１７１が設けられ、絶縁操作棒１１０の側面長手方向には所定の間隔でロックピン１７１の挿入穴１６１が形成されている。そのため、ロックピン１７１を外方に引っ張るだけで、当該ロックピン１７１の挿入穴１６１への挿入状態を解除でき、操作部１３０を絶縁操作棒１１０の長手方向にスライドさせることができ、位置変更の操作を簡単に行うことができる。
【００４７】
また、図１に示す絶縁ヤットコ１００においては、絶縁操作棒１１０の側面長手方向に所定間隔で設けられているロックピン１７１の挿入穴１６１をつなげるように案内溝１６２が形成されている。そのため、操作部１３０を絶縁操作棒１１０の長手方向にスライドさせていくとき、ロックピン１７１は案内溝１６２に沿ってスライドしていくので、操作部１３０の取り付け位置を変更して固定（ロック）する際に、ロックピン１７１を挿入穴１６１に容易に挿入できる。
【００４８】
また、図１に示す絶縁ヤットコ１００においては、絶縁操作棒１１０の側面に長手方向に延びる案内凸条１６３が形成され、また、操作部１３０の支持具１３３の絶縁操作棒１１０との接触面に、案内凸条１６３に嵌合する嵌合凹部１７６が形成されている。そのため、操作部１３０が絶縁操作棒１１０の長手方向にスライドしていくとき、支持具１３３の嵌合凹部１７６が常に案内凸状１６３に嵌合した状態におかれることから、操作部１３０が絶縁操作棒１１０の周方向に回転して位置ずれを起こすことを防止できる。
【００４９】
なお、上述実施の形態においては、連結棒１１３に対する延長軸１８１の固定を、ロックピン１８２を用いて行うものを示したが、図６に示すように、ねじ１９１を用いて行うこともできる。この場合、連結棒１１３の側面にはねじ穴１９２が設けられており、ねじ１９１は、当該ねじ穴１９２を介してねじ込まれ、その先端を延長軸１８１に当接させることで、連結棒１１３に対する延長軸１８１の固定が行われる。図６(ａ)は固定状態を示し、図６（ｂ）はねじ１９１が緩められ、連結棒１１３に対する延長軸１８１の出し入れが可能とされた状態を示している。また、詳細説明は省略するが、絶縁操作棒１１０に対する支持具１３３の固定も、上述したロックピン１７１を用いる代わりに、ねじを用いることも考えられる。ねじを用いる場合には、構造が簡単となり、挿入穴も不要となる。
【００５０】
また、上述実施の形態においては、この発明を絶縁ヤットコに適用したものであるが、この発明は、絶縁操作棒の先端に把持具等の間接活線作業具を装備し、この間接活線作業具を絶縁操作棒の後端側に装備した操作部を介して遠隔操作を行うようにしたその他の間接活線工具にも同様に適用できることは勿論である。
【産業上の利用可能性】
【００５１】
この発明は、足し棒の連結による作業の範囲が広がり、作業性の向上を図ることができるものであり、絶縁操作棒の先端に装備した把持具等の間接活線作業具を当該絶縁操作棒の後端側に装備した操作部を介して遠隔操作を行うようにした間接活線工具に適用できる。
【図面の簡単な説明】
【００５２】
【図１】実施の形態としての絶縁ヤットコの構成例を示す正面図である。
【図２】操作部を構成する支持具の絶縁操作棒に対する取り付け位置の構成例を示す断面図である。
【図３】連結棒に対する延長軸の固定部の構成例を示す断面図である。
【図４】操作部の絶縁操作棒に対する取り付け位置の変更例を示す図である。
【図５】絶縁ヤットコに足し棒を連結していない場合と、連結した場合とを示す図である。
【図６】連結棒に対する延長軸の固定部の他の構成例を示す断面図である。
【図７】従来の絶縁ヤットコの構成例を示す正面図である。
【図８】足し棒の構成例を示す正面図である。
【図９】絶縁ヤットコの後端に足し棒を接続する際の手順を示す図である。
【図１０】絶縁ヤットコと足し棒を連結した状態を示す図である。
【図１１】従来、足し棒を連結していない場合と、連結した場合とで、操作部の取り付け位置が同じであったことを示す図である。
【符号の説明】
【００５３】
１００・・・絶縁ヤットコ、１１０・・・絶縁操作棒、１１１・・・安全限界つば、１１２，１１４・・・水切りつば、１１３・・・連結棒、１１５・・・接続部材、１１８・・・連結ピン、１１９・・・連結金具、１２０・・・把持具、１２１・・・固定把持片、１２２・・・回動把持片、１２３・・・固定具、１３０・・・操作部、１３１・・・操作レバー、１３２・・・突出部、１３３・・・支持具、１３４・・・支持ピン、１３５・・・穴、１４１ａ，１４１ｂ・・・案内溝、１４２ａ，１４２ｂ・・・係止凹部、１６１・・・挿入穴、１６２・・・案内溝、１６３・・・案内凸条、１７１・・・ロックピン、１７２・・・箱体、１７３・・・穴、１７４・・・係止片、１７５・・・圧縮コイルバネ、１７６・・・嵌合凹部、１８１・・・延長軸、１８２・・・ロックピン、１８３・・・挿入穴、１８４・・・案内溝、１８５・・・箱体、１８６，１８７・・・穴、１８８・・・係止片、１８９・・・圧縮コイルバネ、１９１・・・ねじ、１９２・・・ねじ穴
【図１】
2009050052.tif 000003
【図２】
2009050052.tif 000004
【図３】
2009050052.tif 000005
【図４】
2009050052.tif 000006
【図５】
2009050052.tif 000007
【図６】
2009050052.tif 000008
【図７】
2009050052.tif 000009
【図８】
2009050052.tif 000010
【図９】
2009050052.tif 000011
【図１０】
2009050052.tif 000012
【図１１】
2009050052.tif 000013